(57)【要約】インテリジェント選択機能を搭載した購入ガイド情報提供システム及びその方法に関するものである。このインテリジェント選択機能を搭載した購入ガイド情報提供システム及びその方法は、消費者が最小の条件である所定の閲覧項目を選択すると、閲覧項目に付与した点数の総点が高い順に所定数の業者情報を自動的に抽出して消費者に提供し、抽出した業者情報の中で所定数を閲覧すると、サーバは消費者が閲覧した業者の中で特定業者を推薦して業者の商品を購入する際に、各閲覧業者が予め付与した閲覧インセンティブと、販売業者が予め付与した購入インセンティブを消費者に提供するように処理することで、投入した時間に比べ大きな利益を消費者に提供する。【選択図】図５
2019512830.tif 000002
【特許請求の範囲】
【請求項１】
ユーザ端末（２）から閲覧項目選択信号を受信すると、既設定された抽出条件に合致する所定の閲覧対象群情報（５）を抽出し、抽出した情報をユーザ端末（２）に伝送する販売情報抽出部（２４）と；
前記ユーザ端末（２）から特定業者の閲覧信号を受信し、閲覧業者の既設定された選択条件に基づいて所定の業者を推薦し、推薦業者のうちいずれかの業者に対する購入確認信号が発生する時、閲覧インセンティブと購入インセンティブを前記ユーザ端末を通じてユーザに提供する制御部（４０）と；を含む購入ガイド情報管理サーバ（２０）を含むことを特徴とするインテリジェント選択機能を搭載した購入ガイド情報提供システム。
【請求項２】
前記閲覧対象群情報（５）は、前記購入ガイド情報管理サーバによって閲覧項目の点数を各業者別に演算し、全体の点数が大きい順に所定数の業者を抽出して形成されることを特徴とする請求項１に記載のインテリジェント選択機能を搭載した購入ガイド情報提供システム。
【請求項３】
前記ユーザ端末（２）は、その内部に前記購入ガイド情報管理サーバ（２０）から受け取った閲覧対象群情報（５）をソートして整列する自動整列制御部（８）を含むことを特徴とする請求項１に記載のインテリジェント選択機能を搭載した購入ガイド情報提供システム。
【請求項４】
前記閲覧対象群情報（５）は、販売情報（１０）、閲覧インセンティブ情報（１２）、及び購入インセンティブ情報（１４）を含む複数の業者情報が整列された情報であることを特徴とする請求項１に記載のインテリジェント選択機能を搭載した購入ガイド情報提供システム。
【請求項５】
前記購入ガイド情報管理サーバ（２０）は、その内部に前記閲覧対象群情報（５）に含まれた情報の整列位置値を提供する整列位置値提供部（２２）を含むことを特徴とする請求項１に記載のインテリジェント選択機能を搭載した購入ガイド情報提供システム。
【請求項６】
前記購入ガイド情報管理サーバ（２０）は、販売者が販売情報（１０）、閲覧インセンティブ情報（１２）、及び購入インセンティブ情報（１４）を登録する販売情報登録簿（２８）と；
前記販売情報（１０）、閲覧インセンティブ情報（１２）、及び購入インセンティブ情報（１４）を含む全体の抽出対象群情報を格納する全体対象群ＤＢ（２６）を更に含むことを特徴とする請求項１に記載のインテリジェント選択機能を搭載した購入ガイド情報提供システム。
【請求項７】
前記閲覧項目は、ランダムに整列されたり、又は業種や距離順又は、インセンティブが大きい順、イベント額面が大きい順に整列されるか、新規／以前に開業した業者を含むことを特徴とする請求項２に記載のインテリジェント選択機能を搭載した購入ガイド情報提供システム。
【請求項８】
前記購入ガイド情報管理サーバ（２０）は、その内部にユーザが全体閲覧項目のうち少なくとも一つ以上の閲覧項目選択信号を受信する閲覧項目選択部（３２）と；
全体対象群ＤＢ（２６）からユーザが選択した閲覧項目に該当する複数の対象情報を抽出し、抽出した対象情報のうち一部を更に選別するために、各対象情報に付与した点数を演算する対象点数演算部（３０）を更に含むことを特徴とする請求項１に記載のインテリジェント選択機能を搭載した購入ガイド情報提供システム。
【請求項９】
前記ユーザ端末（２）は、その内部に業者情報を閲覧するための選択信号及び商品を購入するための選択信号を発生し、特定の場所に対する距離順に業者情報の抽出を要求する位置指定信号を発生するキー入力部（３４）と；
ユーザの現在位置を自動的に判断するためのＧＰＳモジュール（３６）を更に含むことを特徴とする請求項１に記載のインテリジェント選択機能を搭載した購入ガイド情報提供システム。
【請求項１０】
前記購入ガイド情報管理サーバ（２０）は、前記ユーザ端末（２）に複数の業者を推薦するように構成されることを特徴とする請求項１に記載のインテリジェント選択機能を搭載した購入ガイド情報提供システム。
【請求項１１】
前記購入ガイド情報管理サーバ（２０）は、業者情報に対するユーザの閲覧情報を業者端末（３）に提供するように構成されることを特徴とする請求項１に記載のインテリジェント選択機能を搭載した購入ガイド情報提供システム。
【請求項１２】
前記購入ガイド情報管理サーバ（２０）は、ユーザに対する業者の推薦情報や業者情報に対するユーザの予備購入情報を業者端末（３）に伝送するように構成されることを特徴とする請求項１に記載のインテリジェント選択機能を搭載した購入ガイド情報提供システム。
【請求項１３】
購入ガイドアプリケーション（４）から前払い信号を受信すると、前記購入ガイド情報管理サーバ（２０）は、閲覧インセンティブと購入インセンティブをユーザに提供するように構成され、
前記購入ガイド情報管理サーバ（２０）は、前払いの対象となる業者情報、商品情報、及び決済情報を業者が分かるようにした識別情報を、前記購入ガイドアプリケーション（４）に伝送するように構成されることを特徴とする請求項１に記載のインテリジェント選択機能を搭載した購入ガイド情報提供システム。
【請求項１４】
前記購入ガイド情報管理サーバ（２０）は、商品を購入したユーザの情報を業者端末（３）から受信して閲覧インセンティブと購入インセンティブをユーザに提供するように構成されることを特徴とする請求項１に記載のインテリジェント選択機能を搭載した購入ガイド情報提供システム。
【請求項１５】
前記購入ガイド情報管理サーバ（２０）は、前記ユーザ端末（２）から業者再推薦要請信号を受信すると、ユーザにペナルティを課すように構成されることを特徴とする請求項１に記載のインテリジェント選択機能を搭載した購入ガイド情報提供システム。
【請求項１６】
前記購入ガイド情報管理サーバ（２０）は、前記ユーザ端末（２）から業者再推薦要請信号を受信すると、前記ユーザが推薦業者数と同じ数の業者を更に閲覧ができるように前記閲覧対象群情報（５）を再構成することを特徴とする請求項１に記載のインテリジェント選択機能を搭載した購入ガイド情報提供システム。
【請求項１７】
前記制御部（４０）は、ユーザに提供する推薦業者のうちの少なくとも新規／以前に開業した少なくとも一つの業者が含まれるように処理することを特徴とする請求項１に記載のインテリジェント選択機能を搭載した購入ガイド情報提供システム。
【請求項１８】
前記購入ガイド情報管理サーバ（２０）は、前記閲覧対象群情報（５）に含まれる業者情報における数情報及び設定情報を購入ガイドアプリケーション（４）から受け取って、ユーザの識別番号にマッチングして登録することを特徴とする請求項１に記載のインテリジェント選択機能を搭載した購入ガイド情報提供システム。
【請求項１９】
前記購入ガイド情報管理サーバ（２０）は、ユーザに閲覧インセンティブを提供する業者情報の数を制限するように設定することを特徴とする請求項１に記載のインテリジェント選択機能を搭載した購入ガイド情報提供システム。
【請求項２０】
前記販売情報（１０）は、詳細販売情報を前記購入ガイド情報管理サーバ（２０）から受け取るように、ハイパーリンクされた情報であることを特徴とする請求項４に記載のインテリジェント選択機能を搭載した購入ガイド情報提供システム。
【請求項２１】
前記販売情報登録簿（２８）は、他の業者の情報を閲覧しなかった状態で購入する即時購入に対する条件付き追加インセンティブ情報を業者別に更に登録するように処理することを特徴とする請求項６に記載のインテリジェント選択機能を搭載した購入ガイド情報提供システム。
【請求項２２】
ａ）ユーザ端末（２）に搭載された購入ガイドアプリケーション（４）を駆動するステップと；
ｂ）購入ガイド情報管理サーバ（２０）が、ユーザ端末（２）から閲覧項目の選択情報を受信するステップと；
ｃ）前記購入ガイド情報管理サーバ（２０）が、抽出条件に合致する閲覧対象群情報（５）を抽出してユーザ端末（２）に提供するステップと；
ｄ）前記購入ガイド情報管理サーバ（２０）が、前記閲覧対象群情報（５）のうち所定数の業者情報に対する閲覧信号を受信するステップと；
ｅ）前記購入ガイド情報管理サーバ（２０）が、ユーザが閲覧した業者情報のうち推薦条件に合致する所定の業者を推薦するステップと；
ｆ）業者に対するユーザの購入確認信号の受信時、前記購入ガイド情報管理サーバ（２０）が、閲覧インセンティブと購入インセンティブをユーザに提供するステップを含むことを特徴とするインテリジェント選択機能を搭載した購入ガイド情報提供方法。
【請求項２３】
前記ａ）ステップの前に、前記購入ガイド情報管理サーバ（２０）が、複数の業者から販売情報（１０）、閲覧インセンティブ情報、及び購入インセンティブ情報を受け取って登録するステップを更に含むことを特徴とする請求項２２に記載のインテリジェント選択機能を搭載した購入ガイド情報提供方法。
【請求項２４】
前記ａ）ステップの前に、前記購入ガイド情報管理サーバ（２０）が、複数の業者の閲覧項目別に点数を付与して登録するステップを更に含むことを特徴とする請求項２２に記載のインテリジェント選択機能を搭載した購入ガイド情報提供方法。
【請求項２５】
前記ａ）ステップの前に、前記購入ガイド情報管理サーバ（２０）が、閲覧インセンティブの付与が可能な業者閲覧数を制限して設定するステップと；
前記ｆ）ステップで、前記購入ガイド情報管理サーバ（２０）が、制限された業者の数を反映して閲覧インセンティブを演算するステップを更に含むことを特徴とする請求項２２に記載のインテリジェント選択機能を搭載した購入ガイド情報提供方法。
【請求項２６】
前記ａ）ステップの前に、前記購入ガイド情報管理サーバ（２０）が、他の業者の情報を閲覧しなかった状態で、すぐに購入する条件付きの購入時、ユーザに提供する即時購入インセンティブを別に登録するステップを更に含むことを特徴とする請求項２２に記載のインテリジェント選択機能を搭載した購入ガイド情報提供方法。
【請求項２７】
前記ｅ）ステップは、前記購入ガイド情報管理サーバ（２０）が、ユーザ端末（２）から業者再推薦要請信号を受信すると、ユーザにペナルティを課すステップを更に含むことを特徴とする請求項２２に記載のインテリジェント選択機能を搭載した購入ガイド情報提供方法。
【請求項２８】
前記ｅ）ステップは、前記購入ガイド情報管理サーバ（２０）が、ユーザ端末（２）から業者再推薦要請信号を受信すると、ユーザの閲覧業者のうち、推薦業者を除外した閲覧業者を推薦するステップを含むことを特徴とする請求項２２に記載のインテリジェント選択機能を搭載した購入ガイド情報提供方法。
【請求項２９】
前記ｆ）ステップは、前記購入ガイド情報管理サーバ（２０）が、ユーザの予備購入確認や業者での購入確認が行われる時点で、閲覧インセンティブと購入インセンティブをユーザに提供するステップであることを特徴とする請求項２２に記載のインテリジェント選択機能を搭載した購入ガイド情報提供方法。
【請求項３０】
前記ｆ）ステップの後に、前記購入ガイド情報管理サーバ（２０）が、閲覧対象群情報（５）に含まれた業者情報が業者端末（３）に露出された頻度情報と、業者情報を閲覧したユーザの情報と、業者情報がユーザに推薦された頻度情報を提供するステップを更に含むことを特徴とする請求項２２に記載のインテリジェント選択機能を搭載した購入ガイド情報提供方法。
【発明の詳細な説明】
【技術分野】
【０００１】
本発明はインテリジェント選択機能を搭載した購入ガイド情報提供システム及びその方法に関するもので、より詳細には、消費者が最小の条件である所定の閲覧項目を選択すると、閲覧項目に付与した点数の総点が高い順に所定数の業者情報を自動的に抽出して消費者に提供し、抽出した業者情報の中で所定数を閲覧すると、サーバは消費者が閲覧した業者の中で特定業者を推薦して業者の商品を購入する際に、各閲覧業者が予め付与した閲覧インセンティブと、販売業者が予め付与した購入インセンティブを消費者に提供するように処理することで、投入した時間に比べ大きな利益を消費者に提供するインテリジェント選択機能を搭載した購入ガイド情報提供システム及びその方法に関するものである。
【背景技術】
【０００２】
周知のように、最近の情報通信技術の発達によって、遠距離データ通信網を介して様々な分野の情報を少なくとも一つ以上のホストサーバを通じて複数の加入者側にリアルタイムで提供する情報提供技術の開発が活発に進行されている。
【０００３】
これに基づいて、最近は加入者に正確な情報をより迅速に提供するため、キャッシュメモリ拡張技術などの周辺技術を用いて、加入者の好みや選好度によって、消費者の簡易なアクセスを誘導することができる情報選別技術及び圧縮技術が開発されている。これを通じた各種コンテンツ及びそのソリューションの開発にも拍車をかけている実情である。
【０００４】
なお、技術の開発が利益を創出する方向に進んでいる。これに基づいて、商取引市場も電子商取引市場に移動しながら、様々な広告方式と商品販売方式が出現している実情である。
【０００５】
このように、広告や商品販売のための競争が激化されるようになって、広告や商品販売のためのより多くの条件が考えられる。しかし、いざユーザが各条件を入念に比較して商品を購入することで、所定の利益を得たと仮定しても、この場合に、その利益はユーザの無駄になる時間を考慮していない問題がある。
【０００６】
一方、ユーザがこのような広告や販売条件を全く考慮せずに商品の購入を選択した場合には、ユーザが得ることができる所定の利益を放棄する結果を生む。従って、この場合にもやはりユーザには損失であるというジレンマがある。
【０００７】
従って、相互反比例関係をなすユーザの時間と、ユーザが得る利益との間でユーザが投入した時間に比べて、大きな利益が得られる方案を講ずる必要がある。
【０００８】
一方、このように広告や商品販売の様々な条件のため、商品を購入する際に、消費者が考慮しなければならない情報があまりにも多い。そのため、むしろこのような購入環境はユーザの決定障害を発生させるまた他の変数となる問題がある。
【発明の概要】
【発明が解決しようとする課題】
【０００９】
本発明は前述した従来技術の事情に鑑みてなされたもので、消費者が最小の条件である所定の閲覧項目を選択すると、閲覧項目に付与した点数の総点が高い順に所定数の業者情報を自動的に抽出して消費者に提供し、抽出した業者情報の中で所定数を閲覧すると、サーバは消費者が閲覧した業者の中で特定業者を推薦して業者の商品を購入する際に、各閲覧業者が予め付与した閲覧インセンティブと、販売業者が予め付与した購入インセンティブを消費者に提供するように処理することで、投入した時間に比べ大きな利益を消費者に提供するインテリジェント選択機能を搭載した購入ガイド情報提供システム及びその方法を提供することにその目的がある。
【課題を解決するための手段】
【００１０】
前述の目的を達成するために、本発明の一態様に係るインテリジェント選択機能を搭載した購入ガイド情報提供システムは、ユーザ端末（２）から閲覧項目選択信号を受信すると、既設定された抽出条件に合致する所定の閲覧対象群情報（５）を抽出し、抽出した情報をユーザ端末（２）に伝送する販売情報抽出部（２４）と；前記ユーザ端末（２）から特定業者の閲覧信号を受信し、閲覧業者の既設定された選択条件に基づいて所定の業者を推薦し、推薦業者のうちいずれかの業者に対する購入確認信号が発生する時、閲覧インセンティブと購入インセンティブを前記ユーザ端末を通じてユーザに提供する制御部（４０）と；を含む購入ガイド情報管理サーバ（２０）を含むことを特徴とする。
【００１１】
好ましくは、前記閲覧対象群情報（５）は、前記購入ガイド情報管理サーバによって閲覧項目の点数を各業者別に演算し、全体の点数が大きい順に所定数の業者を抽出して形成される。
【００１２】
好ましくは、前記ユーザ端末（２）は、その内部に前記購入ガイド情報管理サーバ（２０）から受け取った閲覧対象群情報（５）をソートして整列する自動整列制御部（８）を含む。
【００１３】
好ましくは、前記閲覧対象群情報（５）は、販売情報（１０）、閲覧インセンティブ情報（１２）、及び購入インセンティブ情報（１４）を含む複数の業者情報が整列された情報である。
【００１４】
好ましくは、前記購入ガイド情報管理サーバ（２０）は、その内部に前記閲覧対象群情報（５）に含まれた情報の整列位置値を提供する整列位置値提供部（２２）を含む。
【００１５】
好ましくは、前記購入ガイド情報管理サーバ（２０）は、販売者が販売情報（１０）、閲覧インセンティブ情報（１２）、及び購入インセンティブ情報（１４）を登録する販売情報登録簿（２８）と；前記販売情報（１０）、閲覧インセンティブ情報（１２）、及び購入インセンティブ情報（１４）を含む全体の抽出対象群情報を格納する全体対象群ＤＢ（２６）を更に含む。
【００１６】
好ましくは、前記閲覧項目は、ランダムに整列されたり、又は業種や距離順又は、インセンティブが大きい順、イベント額面が大きい順に整列されるか、新規／以前に開業した業者を含む。
【００１７】
好ましくは、前記購入ガイド情報管理サーバ（２０）は、その内部にユーザが全体閲覧項目のうち少なくとも一つ以上の閲覧項目選択信号を受信する閲覧項目選択部（３２）と；全体対象群ＤＢ（２６）からユーザが選択した閲覧項目に該当する複数の対象情報を抽出し、抽出した対象情報のうち一部を更に選別するために、各対象情報に付与した点数を演算する対象点数演算部（３０）を更に含む。
【００１８】
好ましくは、前記ユーザ端末（２）は、その内部に業者情報を閲覧するための選択信号及び商品を購入するための選択信号を発生し、特定の場所に対する距離順に業者情報の抽出を要求する位置指定信号を発生するキー入力部（３４）と；ユーザの現在位置を自動的に判断するためのＧＰＳモジュール（３６）を更に含む。
【００１９】
好ましくは、前記購入ガイド情報管理サーバ（２０）は、前記ユーザ端末（２）に複数の業者を推薦するように構成される。
【００２０】
好ましくは、前記購入ガイド情報管理サーバ（２０）は、業者情報に対するユーザの閲覧情報を業者端末（３）に提供するように構成される。
【００２１】
好ましくは、前記購入ガイド情報管理サーバ（２０）は、ユーザに対する業者の推薦情報や業者情報に対するユーザの予備購入情報を業者端末（３）に伝送するように構成される。
【００２２】
好ましくは、購入ガイドアプリケーション（４）から前払い信号を受信すると、前記購入ガイド情報管理サーバ（２０）は、閲覧インセンティブと購入インセンティブをユーザに提供するように構成され、前記購入ガイド情報管理サーバ（２０）は、前払いの対象となる業者情報、商品情報、及び決済情報を業者が分かるようにした識別情報を、前記購入ガイドアプリケーション（４）に伝送するように構成される。
【００２３】
好ましくは、前記購入ガイド情報管理サーバ（２０）は、商品を購入したユーザの情報を業者端末（３）から受信して閲覧インセンティブと購入インセンティブをユーザに提供するように構成される。
【００２４】
好ましくは、前記購入ガイド情報管理サーバ（２０）は、前記ユーザ端末（２）から業者再推薦要請信号を受信すると、ユーザにペナルティを課すように構成される。
【００２５】
好ましくは、前記購入ガイド情報管理サーバ（２０）は、前記ユーザ端末（２）から業者再推薦要請信号を受信すると、前記ユーザが推薦業者数と同じ数の業者を更に閲覧ができるように前記閲覧対象群情報（５）を再構成する。
【００２６】
好ましくは、前記制御部（４０）は、ユーザに提供する推薦業者のうちの少なくとも新規／以前に開業した少なくとも一つの業者が含まれるように処理する。
【００２７】
好ましくは、前記購入ガイド情報管理サーバ（２０）は、前記閲覧対象群情報（５）に含まれる業者情報における数情報及び設定情報を購入ガイドアプリケーション（４）から受け取って、ユーザの識別番号にマッチングして登録する。
【００２８】
好ましくは、前記購入ガイド情報管理サーバ（２０）は、ユーザに閲覧インセンティブを提供する業者情報の数を制限するように設定する。
【００２９】
好ましくは、前記販売情報（１０）は、詳細販売情報を前記購入ガイド情報管理サーバ（２０）から受け取るように、ハイパーリンクされた情報である。
【００３０】
好ましくは、前記販売情報登録簿（２８）は、他の業者の情報を閲覧しなかった状態で購入する即時購入に対する条件付き追加インセンティブ情報を業者別に更に登録するように処理する。
【００３１】
また、本発明の他の態様に係るインテリジェント選択機能を搭載した購入ガイド情報提供方法、ａ）ユーザ端末（２）に搭載された購入ガイドアプリケーション（４）を駆動するステップと；ｂ）購入ガイド情報管理サーバ（２０）が、ユーザ端末（２）から閲覧項目の選択情報を受信するステップと；ｃ）前記購入ガイド情報管理サーバ（２０）が、抽出条件に合致する閲覧対象群情報（５）を抽出してユーザ端末（２）に提供するステップと；ｄ）前記購入ガイド情報管理サーバ（２０）が、前記閲覧対象群情報（５）のうち所定数の業者情報に対する閲覧信号を受信するステップと；ｅ）前記購入ガイド情報管理サーバ（２０）が、ユーザが閲覧した業者情報のうち推薦条件に合致する所定の業者を推薦するステップと；ｆ）業者に対するユーザの購入確認信号の受信時、前記購入ガイド情報管理サーバ（２０）が、閲覧インセンティブと購入インセンティブをユーザに提供するステップを含む。
【００３２】
好ましくは、前記ａ）ステップの前に、前記購入ガイド情報管理サーバ（２０）が、複数の業者から販売情報（１０）、閲覧インセンティブ情報、及び購入インセンティブ情報を受け取って登録するステップを更に含む。
【００３３】
好ましくは、前記ａ）ステップの前に、前記購入ガイド情報管理サーバ（２０）が、複数の業者の閲覧項目別に点数を付与して登録するステップを更に含む。
【００３４】
好ましくは、前記ａ）ステップの前に、前記購入ガイド情報管理サーバ（２０）が、閲覧インセンティブの付与が可能な業者閲覧数を制限して設定するステップと；
前記ｆ）ステップで、前記購入ガイド情報管理サーバ（２０）が、制限された業者の数を反映して閲覧インセンティブを演算するステップを更に含む。
【００３５】
好ましくは、前記ａ）ステップの前に、前記購入ガイド情報管理サーバ（２０）が、他の業者の情報を閲覧しなかった状態で、すぐに購入する条件付きの購入時、ユーザに提供する即時購入インセンティブを別に登録するステップを更に含む。
【００３６】
好ましくは、前記ｅ）ステップは、前記購入ガイド情報管理サーバ（２０）が、ユーザ端末（２）から業者再推薦要請信号を受信すると、ユーザにペナルティを課すステップを更に含む。
【００３７】
好ましくは、前記ｅ）ステップは、前記購入ガイド情報管理サーバ（２０）が、ユーザ端末（２）から業者再推薦要請信号を受信すると、ユーザの閲覧業者のうち、推薦業者を除外した閲覧業者を推薦するステップを含む。
【００３８】
好ましくは、前記ｆ）ステップは、前記購入ガイド情報管理サーバ（２０）が、ユーザの予備購入確認や業者での購入確認が行われる時点で、閲覧インセンティブと購入インセンティブをユーザに提供するステップである。
【００３９】
好ましくは、前記ｆ）ステップの後に、前記購入ガイド情報管理サーバ（２０）が、閲覧対象群情報（５）に含まれた業者情報が業者端末（３）に露出された頻度情報と、業者情報を閲覧したユーザの情報と、業者情報がユーザに推薦された頻度情報を提供するステップを更に含む。
【発明の効果】
【００４０】
本発明に係るインテリジェント選択機能を搭載した購入ガイド情報提供システム及びその方法によれば、最小限の時間を使ったユーザにも最も有利な条件を備えた業者を推薦し、この過程で結果を圧縮して少数の業者を推薦する。従って、購入決定に多くの時間がかかるか、又は最も有利な条件を見つけるために必然的に多くの時間を投資しなければならないユーザは、非常に効率的に、且つ便利に購入を決定することができる。また、販売店は実際に購入を発生させるユーザにマーケティング費用を集中して使用することができるので、従来よりも大きなマーケティング効果が得られる。
【図面の簡単な説明】
【００４１】
【図１】本発明の一実施形態に係るインテリジェント選択機能を搭載した購入ガイド情報提供システムの構成を示す図
【図２】本発明の一実施形態に係るインテリジェント選択機能を搭載した購入ガイド情報提供システムを通じて業者情報を登録する過程を示す図
【図３】本発明の一実施形態に係るインテリジェント選択機能を搭載した購入ガイド情報提供システムに含まれた閲覧項目の登録を処理する状態を示す図
【図４】本発明の一実施形態に係るインテリジェント選択機能を搭載した購入ガイド情報提供システムを通じて抽出対象の点数を演算する過程を示す図
【図５】本発明の一実施形態に係るインテリジェント選択機能を搭載した購入ガイド情報提供システムで情報を処理する状態を示す図
【図６】本発明の一実施形態に係るインテリジェント選択機能を搭載した購入ガイド情報提供システムを通じて即時購入過程を処理する状態を示す図
【図７】本発明の一実施形態に係るインテリジェント選択機能を搭載した購入ガイド情報提供システムを通じて再推薦依頼を処理する状態を示す図
【発明を実施するための形態】
【００４２】
以下、図面を参照して本発明を詳細に説明する。
これらの図を参照すると、本発明の一実施形態に係るインテリジェント選択機能を搭載した購入ガイド情報提供システムは、消費者が最小の条件である所定の閲覧項目を選択すると、閲覧項目に付与した点数の総点が高い順に所定数の業者情報を自動的に抽出して消費者に提供し、抽出した業者情報の中で所定数を閲覧すると、サーバは消費者が閲覧した業者の中で特定業者を推薦して業者の商品を購入する際に、各閲覧業者が予め付与した閲覧インセンティブと、販売業者が予め付与した購入インセンティブを消費者に提供するように処理することで、投入した時間に比べ大きな利益を消費者に提供するシステムである。
【００４３】
即ち、本発明の一実施形態に係るインテリジェント選択機能を搭載した購入ガイド情報提供システムで、消費者が複数の閲覧項目の中から望む閲覧項目を選択すると、閲覧項目別に付与した点数を業者別に合算する。
【００４４】
そして、最も高い点数から所定数の業者情報を抽出し、抽出した情報を消費者に伝送する。従って、各閲覧項目別に業者に点数を付与して点数を合算することで、消費者は総点が大きい業者情報を抽出するのにかかる時間を節約することができる。
【００４５】
消費者はサーバが提供した業者のうち所定数の業者を閲覧することができる。本発明の一実施形態に係るインテリジェント選択機能を搭載した購入ガイド情報提供システムは、消費者が閲覧した業者の中から所定の推薦条件に合致する業者を推薦して、消費者が購入の決定を容易にすることができるように支援する。
【００４６】
この場合に、システムが推薦した業者の商品を消費者が購入すると、サーバは業者情報を閲覧する際に付与する閲覧インセンティブと、商品の購入により発生する購入インセンティブを消費者に提供する。
【００４７】
一方、システムが推薦した業者の商品を消費者が購入しない場合、サーバは消費者に閲覧インセンティブと購入インセンティブを提供しない。従って、消費者の意志が商品の購入に反映されるように、サーバは消費者に少なくとも２つ以上の業者を推薦することが好ましい。
【００４８】
このようなシステムは予め販売する効果を発生させることができるので、業者は商品の販売を効率的に準備するか、講じることができる。
【００４９】
そのため、本発明の一実施形態に係るインテリジェント選択機能を搭載した購入ガイド情報提供システムは、業者情報を閲覧するための選択信号及び商品を購入するための選択信号を発生する購入ガイドアプリケーション（４）が内部に搭載されたユーザ端末（２）と；販売情報（１０）、閲覧インセンティブ情報、及び購入インセンティブ情報を購入ガイド情報管理サーバ（２０）に登録し、その購入ガイド情報管理サーバ（２０）から結果情報を受信する業者端末（３）を含む。
【００５０】
また、本発明の一実施形態に係るインテリジェント選択機能を搭載した購入ガイド情報提供システムは、ユーザ端末（２）と業者端末（３）との間の登録情報を既設定条件によって提供する購入ガイド情報管理サーバ（２０）を含む。
【００５１】
より詳細には、購入ガイド情報管理サーバ（２０）は、ユーザ端末（２）から閲覧項目選択信号を受信すると、既設定された抽出条件に合致する所定の閲覧対象群情報（５）を抽出し、抽出した情報をユーザ端末（２）に伝送する販売情報抽出部（２４）と；ユーザ端末（２）から特定業者の閲覧信号を受信し、閲覧業者のうち既設定された選択条件に基づいて所定の業者を推薦し、推薦業者のうちいずれかの業者に対する購入確認信号が発生する時、閲覧インセンティブと購入インセンティブをユーザ端末を通じてユーザに提供する制御部（４０）（図７参照）を含む。
【００５２】
この時、購入ガイド情報管理サーバ（２０）が抽出して生成した閲覧対象群情報（５）は、複数の業者情報を行列に整列した情報群である。業者情報は、整列フレーム（６）に表示される販売情報（１０）、閲覧インセンティブ情報（１２）、及び購入インセンティブ情報（１４）を含む。
【００５３】
ユーザ端末（２）は、その内部に購入ガイド情報管理サーバ（２０）から受け取った閲覧対象群情報（５）をソートして整列する自動整列制御部（８）を含む。購入ガイド情報管理サーバ（２０）は、その内部に閲覧対象群情報（５）に含まれた情報の整列位置値を提供する整列位置値提供部（２２）を含む。
【００５４】
従って、自動整列制御部（８）と整列位置値提供部（２２）は業者情報の出力位置情報を共有することで、購入ガイド情報管理サーバ（２０）は、ユーザ端末（２）のいずれかの位置に、ある業者情報が露出したか、又はユーザの業者情報を選択する際、ある業者情報を選択したかを判断することができる。
【００５５】
一方、購入ガイド情報管理サーバ（２０）は、その内部に売り手が販売情報（１０）、閲覧インセンティブ情報（１２）、及び購入インセンティブ情報（１４）を登録する販売情報登録簿（２８）と；販売情報（１０）、閲覧インセンティブ情報（１２）、及び購入インセンティブ情報（１４）を含む全体の抽出対象群情報を格納する全体対象群ＤＢ（２６）を更に含む。
【００５６】
この時、販売情報（１０）は、詳細販売情報を購入ガイド情報管理サーバ（２０）から受け取ることができるように、ハイパーリンクされた情報である。ユーザ端末（２）の購入ガイドアプリケーション（４）を通じて出力される複数の業者情報のうちいずれかの業者情報に含まれた販売情報（１０）をユーザがクリックすると、購入ガイド情報管理サーバ（２０）は予め登録された業者の詳細販売情報をユーザ端末（２）に伝送してスクリーン上に出力する。
【００５７】
そのため、購入ガイド情報管理サーバ（２０）は、複数の業者から販売情報（１０）、閲覧インセンティブ情報、及び購入インセンティブ情報を受け取って、全体対象群ＤＢ（２６）に登録する。
【００５８】
ユーザは本発明の一実施形態に係るインテリジェント選択機能を搭載した購入ガイド情報提供システムを用いるために、最小限の選択信号を発生させる必要がある。このため、ユーザは複数の閲覧項目のうち所定の閲覧項目を選択する。
【００５９】
閲覧項目はランダムに整列されたり、又は業種や距離順又は、インセンティブが大きい順、イベント額面が大きい順に整列することができ、新規／以前に開業した業者を含む。ユーザは購入ガイドアプリケーション（４）を通じて少なくとも一つ以上の閲覧項目を選択することができる。
【００６０】
即ち、閲覧項目は消費者が閲覧しようとする望む情報の検索条件に基づいて、購入ガイド情報管理サーバ（２０）に登録される。ユーザが特定閲覧項目を選択すると、閲覧項目に合致する業者情報のみを表示することができ、ユーザは自分の意志によって必要な業者情報を閲覧することができる。
【００６１】
また、購入ガイド情報管理サーバ（２０）は、各業者別に各閲覧項目の点数を付与して登録する。従って、ユーザはより有利に情報を抽出することができる。
【００６２】
例えば、閲覧項目が「距離順」に整列された場合に、特定位置を基準に、例えば１０メートル以内にあるＡ業者が５点を獲得し、２０メートルと３０メートルの間に存在するＢ業者が３点を獲得すると、Ａ業者が抽出される可能性はＢ業者より高い。
【００６３】
複数の閲覧項目の重要度はユーザごとに差があることができる。従って、本発明の一実施形態に係るインテリジェント選択機能を搭載した購入ガイド情報提供システムは、情報の第１抽出条件として、消費者が選択した閲覧項目に基づいて高得点が付与された所定数の業者情報を抽出するように構成される。
【００６４】
そのため、購入ガイド情報管理サーバ（２０）は、その内部にユーザが全体閲覧項目のうち少なくとも一つ以上の閲覧項目選択信号を受信する閲覧項目選択部（３２）と；全体対象群ＤＢ（２６）からユーザが選択した閲覧項目に該当する複数の対象情報を抽出し、抽出した対象情報のうち一部を更に選別するために、各対象情報に付与した点数を演算する対象点数演算部（３０）を含む。
【００６５】
また、ユーザが検索を望む業者の基準位置は、ユーザがある現在位置でもあり得、ユーザが特別に指定した位置でもあり得る。基準位置が別途に指定した位置である場合には、位置を選択するか、または入力するための手段及び過程が必要である。
【００６６】
例えば、ユーザがある現在の位置はソウルの江南駅であるが、夕食のために移動する場所が隣接したソウルの駅三駅である場合に、夕食のために推薦を受けようとする業者の位置は駅三駅の近くにある位置でなければならない。この場合に、ユーザは購入ガイドアプリケーション（４）を通じて業者の抽出対象の基準位置として駅三駅を入力する必要がある。
【００６７】
このため、ユーザ端末（２）は、その内部に業者情報を閲覧するための選択信号及び商品を購入するための選択信号を発生し、特定の場所に対する距離順に業者情報の抽出を要求するための位置指定信号を発生するキー入力部（３４）と；ユーザの現在位置を自動的に判断するＧＰＳモジュール（３６）を更に含む。
【００６８】
好ましくは、購入ガイド情報管理サーバ（２０）はユーザが選択した閲覧項目の点数を各業者別に演算し、点数の総和が大きい業者から小さい業者の順に、所定数の業者情報を抽出して閲覧対象群情報（５）を構成する。
【００６９】
このような過程は購入ガイド情報管理サーバ（２０）に含まれた対象点数演算部（３０）によって処理される。例えば、ユーザが複数の閲覧項目のうち、「距離順」、「インセンティブ順」、及び「選好度」を選択した場合、Ａ業者が「距離順」の閲覧項目で５点、「インセンティブ順」の閲覧項目で４点、「選好度」の閲覧項目で４点を獲得すると、その総点は１３点になる。
【００７０】
また、Ｂ業者が「距離順」の閲覧項目で３点、「インセンティブ順」の閲覧項目で２点、「選好度」の閲覧項目で５点を獲得すると、総点は１０点になる。従って、購入ガイド情報管理サーバ（２０）によって抽出される可能性は、Ｂ業者よりＡ業者が高いことが分かれる。
【００７１】
一方、ユーザは本発明の一実施形態に係るインテリジェント選択機能を搭載した購入ガイド情報提供システムに含まれた購入ガイドアプリケーション（４）を通じて受け取ることができる閲覧対象群情報（５）の規格を選択することができる。閲覧対象群情報（５）の規格とは、閲覧対象群情報（５）を構成する業者情報の数を意味する。
【００７２】
即ち、閲覧対象群情報（５）に含まれる業者情報の数はユーザが選択することができ、又は予め購入ガイド情報管理サーバ（２０）に設定することもできる。なお、購入ガイド情報管理サーバは、閲覧対象群情報に含まれる業者情報における数情報及び設定情報をユーザの識別番号にマッチングして登録することもできる。
【００７３】
閲覧対象群情報（５）に含まれる業者情報の数をユーザが予め購入ガイド情報管理サーバ（２０）に設定した場合に、ユーザが閲覧項目のみを選択すると、購入ガイド情報管理サーバ（２０）は閲覧項目の総点が上位から設定された業者情報の数に含まれた業者情報のみを抽出して、閲覧対象群情報（５）を構成する。
【００７４】
所定数の業者情報が抽出されて閲覧対象群情報（５）が生成されると、購入ガイド情報管理サーバ（２０）は、閲覧対象群情報（５）をユーザ端末（２）に伝送する。従って、ユーザは閲覧対象群情報（５）に含まれた複数の業者情報をクリックして閲覧することができる。
【００７５】
この時、ユーザが閲覧対象群情報（５）に含まれた複数の業者情報をクリックすると、閲覧インセンティブを継続的に提供することの代わりに、ユーザに閲覧インセンティブを提供する業者情報の数を制限するように購入ガイド情報管理サーバ（２０）を設定することが好ましい。
【００７６】
即ち、購入ガイド情報管理サーバ（２０）は、業者情報の数が設定数に到達するまでユーザの閲覧信号に対応して閲覧インセンティブを増加させると共に、業者情報の数が設定数に達すると、それ以上業者情報をユーザが閲覧しても、閲覧インセンティブは増加しないように制限することが好ましい。
【００７７】
そして、購入ガイド情報管理サーバ（２０）は業者情報を閲覧する際に、閲覧インセンティブが適用される業者情報の数の上限を閲覧対象群情報（５）に表示することで、いくつかの業者情報を閲覧することが有利であるかをユーザが判断できるようにする。
【００７８】
購入ガイド情報管理サーバ（２０）からユーザに提供される閲覧対象群情報（５）は購入ガイドアプリケーション（４）を通じてユーザ端末の画面上に出力される。従って、図５に示すように、ユーザは所定数の業者情報をクリックして閲覧することができる。
【００７９】
勿論、この時、各業者情報には販売情報（１０）、閲覧インセンティブ情報（１２）、及び購入インセンティブ１４が表示されるので、ユーザは各閲覧インセンティブも勘案して閲覧対象を決定する。
【００８０】
例えば、閲覧対象群情報（５）に含まれた複数の業者情報のうち、ユーザがＡ業者、Ｂ業者、Ｇ業者、Ｉ業者、及びＫ業者を選択して閲覧した場合、その閲覧信号は購入ガイドアプリケーション（４）によって購入ガイド情報管理サーバ（２０）に伝送される。
【００８１】
即ち、ユーザが個人的な基準である情報の第１抽出条件を通じて、複数の業者を閲覧すると、購入ガイド情報管理サーバ（２０）は、その閲覧業者のうち所定数の業者をユーザに推薦する。なお、  購入ガイド情報管理サーバは、第２抽出条件を通じての所定数の業者をユーザに推薦できる。
【００８２】
購入ガイド情報管理サーバ（２０）が推薦した業者の商品やサービスをユーザが購入した場合、ユーザは閲覧インセンティブと購入インセンティブを受ける。一方、複数の業者情報を閲覧したが、購入ガイド情報管理サーバ（２０）が推薦した業者の商品やサービスをユーザが購入しないと、ユーザは閲覧インセンティブと購入インセンティブを受けることができない。
【００８３】
閲覧インセンティブと購入インセンティブは、各業者ごとに異なるため、これを勘案してユーザは業者情報を閲覧する。業者情報の閲覧が完了すると、購入ガイド情報管理サーバ（２０）は所定数の業者をユーザに推薦する。
【００８４】
購入ガイド情報管理サーバ（２０）は、少なくとも２つ以上の業者を推薦することが好ましいが、単一の業者を推薦することもできる。
【００８５】
購入ガイド情報管理サーバ（２０）が２つ以上の業者を推薦する場合に、ユーザは推薦を受けた２つの業者のうちいずれかの業者の商品やサービスを購入しなければインセンティブを受けることができない  。
【００８６】
推薦の場合にも、閲覧対象群を抽出する過程と同様に、最初のユーザが閲覧項目を選択するようにすることができる。
【００８７】
即ち、本発明の一実施形態に係るインテリジェント選択機能を搭載した購入ガイド情報提供システムは、ユーザが閲覧した業者情報のうちある業者を推薦するかについての推薦基準を設定する。このような推薦基準によってユーザは予め設定した閲覧項目を用いることができる。
【００８８】
一方、購入ガイド情報管理サーバ（２０）はユーザが閲覧した複数の業者情報のうち、購入インセンティブが最も高い業者を推薦することもできる。購入ガイド情報管理サーバ（２０）の制御部（４０）は、新規／以前に開業した少なくとも一つの業者がユーザに提供する推薦業者に含まれるように処理することもできる。
【００８９】
この時、購入ガイド情報管理サーバ（２０）は業者情報に対するユーザの閲覧情報を業者端末（３）に提供する。業主（例えば、加盟店主など）は、業者情報の閲覧頻度を含む閲覧情報を確認することができ、その閲覧情報を用いて追加のマーケティングプランを策定することができ、閲覧インセンティブや購入インセンティブを変更するかどうかを判断することもできる。
【００９０】
次に、購入ガイド情報管理サーバ（２０）は閲覧インセンティブと購入インセンティブをユーザに提供することができる。この時、これらのインセンティブは購入ガイド情報管理サーバ（２０）が推薦した業者の商品やサービスに対するユーザの購入が確認された時点で提供される。
【００９１】
ユーザの購入は次のような二つの方式で確認することが可能である。
【００９２】
第１方式は、業者の商品やサービスを購入する前に、ユーザが予め支払いを行い、その前払い情報を購入ガイド情報管理サーバ（２０）が把握できるように、それに提供する方式である。特に、購入ガイド情報管理サーバ（２０）が決済機能を備えて決済を行うことができる場合には、前払いを直接処理するので、より迅速にユーザが購入するかどうかを判断することができる。
【００９３】
この時、購入ガイド情報管理サーバ（２０）は、前払いの対象となる業者情報、商品情報、及び決済情報を購入ガイドアプリケーション（４）に伝送する。業者の従業員は、転送されたこのような識別情報に基づいて前払い対象である否かを判断することができる。
【００９４】
一方、第１の方法では、ユーザがたとえ前払いを行わない場合も、購入ガイド情報管理サーバ（２０）に予備決済信号を発生することができる。この時、購入ガイド情報管理サーバ（２０）は、閲覧インセンティブと購入インセンティブ情報を含む予備決済識別情報を伝送した後、実際にユーザが予備決済識別情報を業者の従業員に提示すると、業者の従業員は業者端末（３）を介して購入ガイド情報管理サーバ（２０）に識別情報を伝送することで、最終的に支払い代金を確認した後、決済を行うことができる。
【００９５】
ここで、最終的な支払い代金は閲覧インセンティブと購入インセンティブが反映された決済代金ある。
【００９６】
第２方式は、業者端末（３）から決済情報とユーザ情報を受け取ると、購入ガイド情報管理サーバ（２０）が閲覧インセンティブと購入インセンティブをユーザに提供する方式である。
【００９７】
この方式は、購入ガイド情報管理サーバ（２０）が業者端末（３）からユーザの電話番号を受け取ってユーザを識別し、予め提供しようとした閲覧インセンティブと購入インセンティブを今後に使用できるようにユーザに提供する方式である。
【００９８】
この時、購入ガイド情報管理サーバ（２０）は、閲覧対象群情報（５）に含まれた業者情報が露出された頻度情報と、あるユーザが業者情報を閲覧したかについての情報と、業者情報がユーザに推薦された頻度情報を業者端末（３）に提供することができる。
【００９９】
これらの情報を用いて、業者が閲覧対象群から除外された場合に、業者が閲覧対象群から除外された理由や推薦対象から除外された理由を、他の業者との閲覧インセンティブや購入インセンティブの比較を通じて判断することができる。推薦対象に含まれたが、ユーザがこれを購入しなかった場合にも、既に業者情報をユーザが閲覧したため、このようなユーザをターゲットに、追加のイベントを進行することも考慮してみることができる。
【０１００】
図６は本発明の一実施形態に係るインテリジェント選択機能を搭載した購入ガイド情報提供システムを通じて即時購入過程を処理する状態を示す図である。
【０１０１】
図６を参照すると、ユーザは消費しよとする製品を他の業者の商品と比較する。しかし、ユーザが購入しようとする製品のブランドを予め決定したか、又は特定商品の消費を予め決定した場合もあり得る。この状態であれば、ユーザは特定商品を購入しようとする場合が一般的である。
【０１０２】
この場合に、ユーザが購入を望む商品が本発明の一実施形態に係るインテリジェント選択機能を搭載した購入ガイド情報提供システムを通じて推薦された時、その商品が推薦対象から除外されると、ユーザは閲覧インセンティブと購入インセンティブを受けることができない。
【０１０３】
また、商品を販売する業者の立場から見ると、このような問題を解決するための方案が必要である。
【０１０４】
従って、本発明の一実施形態に係るインテリジェント選択機能を搭載した購入ガイド情報提供システムは、ユーザが他の業者の情報を閲覧しなかった状態で、即時購入信号を発生する際に付与することができる即時購入インセンティブを更に提供する。
【０１０５】
即ち、販売情報登録簿（２８）は他の業者の情報を閲覧しなかった状態で、ユーザが商品を購入する所謂、即時購入に対する条件付き追加インセンティブ情報を業者別に更に登録することができる。購入ガイド情報管理サーバ（２０）は他の業者の情報を閲覧しなかった状態で、すぐに購入する条件付きの購入時、ユーザに提供する即時購入インセンティブを別に登録して表示する。
【０１０６】
例えば、本発明の一実施形態に係るインテリジェント選択機能を搭載した購入ガイド情報提供システムで許容する閲覧数が５つに制限されたと仮定すれば、閲覧インセンティブは１０であって、全て同一であり、購入インセンティブは各業者別に異なることがあり得る。
【０１０７】
この場合に、５つの業者を閲覧し、その中から推薦されたいずれかの業者の商品を購入した時、ユーザが獲得することができるインセンティブ最高値の５０に３０を加えた値である８０のインセンティブを受けるようになる。
【０１０８】
即ち、この場合に、即時購入を通じてユーザが同一の８０のインセンティブを獲得できるように許容するためには、業主は７０の即時購入インセンティブを提示しなければならない。
【０１０９】
しかし、業主が７０の即時購入インセンティブを提供しなかった場合も、即時購入を選択したユーザは、業者の商品を購入する意志が強いことがあり得る。そのため、７０よりもやや小さい即時購入インセンティブを業主が提示してもユーザが商品を購入する可能性は高い。
【０１１０】
一方、ユーザが閲覧できる業者の数が、図６に示すように、９つ程度であるが、業者を比較せずにブランドのみに基づいて商品を選択することもあり得る。この場合に、ユーザが望む２つ又は３つのブランドのうち８０よりも高い１００や、１５０の即時購入インセンティブが提示されると、ユーザは商品の即時購入に積極的に参加することができる。
【０１１１】
図７は本発明の一実施形態に係るインテリジェント選択機能を搭載した購入ガイド情報提供システムを通じて再推薦依頼を処理する状態を示す図である。
【０１１２】
図７を参照すると、本発明の一実施形態に係るインテリジェント選択機能を搭載した購入ガイド情報提供システムに含まれた購入ガイド情報管理サーバ（２０）は、ユーザ端末（２）から業者再推薦要請信号を受信するとユーザにペナルティを課すように構成される。
【０１１３】
即ち、購入ガイド情報管理サーバ（２０）は所定数の業者を推薦する。購入ガイド情報管理サーバ（２０）が推薦する業者は少なくとも２つ以上が好ましいが、単一の業者を推薦することもできる。
【０１１４】
購入ガイド情報管理サーバ（２０）で、閲覧対象群情報（５）のうち、「Ａ業者、Ｂ業者、Ｇ業者、Ｉ業者、及びＫ業者」をユーザが閲覧し、ユーザが閲覧した５つの業者のうち、複数の業者（例えば、Ｂ業者とＩ業者）を購入ガイド情報管理サーバ（２０）が抽出してユーザに購入を推薦したと仮定する。
【０１１５】
その状態で、購入ガイド情報管理サーバ（２０）が推薦した複数の業者のうちいずれかの業者（例えば、Ｂ業者）の商品を購入すると、ユーザは閲覧インセンティブ（Ａ業者、Ｂ業者、Ｇ業者、Ｉ業者、及びＫ業者が提供した閲覧インセンティブの合計）と購入インセンティブ（Ｂ業者の購入インセンティブ）を合算したインセンティブを受けることができる。
【０１１６】
この時、インセンティブの演算は制御部（４０）で行うが、別途に分離してインセンティブを演算するインセンティブ演算部（３８）を構成することもできる。
【０１１７】
しかし、ユーザが購入ガイド情報管理サーバ（２０）の推薦業者（例えば、Ｂ業者とＩ業者）で販売する商品やサービスを購入する意思がない場合は、業者再推薦要請信号を発生することもできる。
【０１１８】
この場合に、購入ガイド情報管理サーバ（２０）はユーザにペナルティを課すことができる。
【０１１９】
例えば、購入ガイド情報管理サーバは推薦業者と同じ数の追加の業者情報を閲覧するようにユーザにペナルティを課すことができる。この理由は、最初に推薦した業者であるＢ業者とＩ業者を推薦対象から除外させるためである。
【０１２０】
ペナルティを課すまた他の方法として、ユーザが受けることができるインセンティブを全て提供することの代わりに、一定の割合でインセンティブを差し引くこともできる。好ましくは、１回の再推薦要請時にはインセンティブを一定の割合で差し引かず、以後の再推薦要請時からインセンティブを一定の割合で差し引くことが好ましい。
【０１２１】
また、ユーザが２回又は３回の再推薦を要請することもできる。この時は、差し引かれるインセンティブの割合を更に増加させることが好ましい。
【０１２２】
ユーザがＥ業者とＨ業者の情報を閲覧した場合に、閲覧業者はＡ業者、Ｈ業者、Ｇ業者、Ｅ業者、及びＫ業者になり、購入ガイド情報管理サーバ（２０）は閲覧業者のうち複数の業者を再度推薦する。
【０１２３】
続いて、購入ガイド情報管理サーバ（２０）は推薦条件によって、閲覧対象業者のうち２つ業者、例えばＡ業者とＥ業者を推薦するようになり、ユーザがＥ業者の商品を購入した時、購入ガイド情報管理サーバ（２０）はＡ業者、Ｈ業者、Ｇ業者、Ｅ業者、及びＫ業者の閲覧インセンティブと、Ｅ業者の購入インセンティブを合算してユーザに提供する。
【０１２４】
このような過程を通じて、本発明に係るインテリジェント選択機能を搭載した購入ガイド情報提供システム及びその方法によれば、最小限の時間を使ったユーザにも最も有利な条件を備えた業者を推薦し、この過程で結果を圧縮して少数の業者を推薦する。従って、購入決定に多くの時間がかかるか、又は最も有利な条件を見つけるために必然的に多くの時間を投資しなければならないユーザは、非常に効率的に、且つ便利に購入を決定することができる。また、販売店は実際に購入を発生させるユーザにマーケティング費用を集中して使用することができるので、従来よりも大きなマーケティング効果が得られる。
【０１２５】
一方、本発明の実施形態に係るインテリジェント選択機能を搭載した購入ガイド情報提供システム及びその方法は、単に前述した実施形態に限定されるものではなく、その技術的要旨を逸脱しない範囲内で様々な変更が可能である。
【符号の説明】
【０１２６】
２  ユーザ端末
４  購入ガイドアプリケーション
５  閲覧対象群情報
６  整列フレーム
８  自動整列制御部
１０  販売情報
１２  閲覧インセンティブ情報
１４  購入インセンティブ情報
２０  購入ガイド情報管理サーバ
【図１】
2019512830.tif 000003
【図２】
2019512830.tif 000004
【図３】
2019512830.tif 000005
【図４】
2019512830.tif 000006
【図５】
2019512830.tif 000007
【図６】
2019512830.tif 000008
【図７】
2019512830.tif 000009
【国際調査報告】
2019512830.tif 000010
2019512830.tif 000011
2019512830.tif 000012
2019512830.tif 000013